(57)【要約】【課題】  低反発ウレタンフォームの低反発性をほとんど損なうことなく、通気性も確保できるクッション素材を提供する。また、長時間使用した場合でも頭部の高さの位置が変わりにくくできる枕用詰め物及びそれを備えた枕を提供する。更に、今までにない新規な触感を有するクッション素材、枕用詰め物及びそれを備えた枕、クッション素材の製造方法を提供する。【解決手段】  枕用詰め物Ｍは袋体１を備えている。袋体１の内部には、低反発ウレタンフォームの小片２と、変形性及び形状復元性を有する合成樹脂製のパイプ材３が、袋体１を膨らませて実質的に隙間ができない状態になるよう充填してある。低反発ウレタンフォームの小片２とパイプ材３は、混合した混合物が袋体１内において低反発ウレタンフォームの低反発性を備えつつ、かつパイプ材３によって通気性をも備える所要の配合割合で充填してある。【選択図】        図１
2006325749.tif 000002
【特許請求の範囲】
【請求項１】
低反発ウレタンフォームの小片と流動性固体が所要の配合割合で混ぜてあり、充填した状態で低反発ウレタンフォームの低反発性を備えつつ、かつ通気性も備えることを特徴とする、
クッション素材。
【請求項２】
流動性固体が、変形性及び形状復元性を有するパイプ材であることを特徴とする、
請求項１記載のクッション素材。
【請求項３】
請求項１または２記載のクッション素材が袋体内に充填して構成してあることを特徴とする、
枕用詰め物。
【請求項４】
請求項３記載の枕用詰め物と、
当該枕用詰め物を被覆するカバー体と
を備えたことを特徴とする、
枕。
【請求項５】
低反発ウレタンフォームの小片と流動性固体を、充填した状態で低反発ウレタンフォームの低反発性を備えつつ、かつ通気性も備えるよう所要の配合割合で混ぜることを特徴とする、
クッション素材の製造方法。
【発明の詳細な説明】
【技術分野】
【０００１】
本発明は、クッション素材、枕用詰め物及びそれを備えた枕、クッション素材の製造方法に関する。更に詳しくは、低反発ウレタンフォームの低反発性をほとんど損なうことなく、通気性も確保できるクッション素材に関する。また、長時間使用した場合でも頭部の高さの位置が変わりにくくできる枕用詰め物及びそれを備えた枕に関する。更に、今までにない新規な触感を有するものに関する。
【背景技術】
【０００２】
例えば、枕の充填材として、近年、低反発ウレタンフォームが急速に普及している。低反発ウレタンフォームは、ゆっくりと変形しそして元の形状に復元するという性質を有している。これを枕の充填材として用いた場合では、頭部や頸部の接触部形状に沿うようゆっくりと変形し、これらから受ける重み（圧力）を略均等に分散させて、頭部や頸部を安定した状態で支えるという効果を奏することができる（例えば、特許文献１参照）。
【０００３】
【特許文献１】特開２００２−１４２９４４号公報
【発明の開示】
【発明が解決しようとする課題】
【０００４】
しかし、上記した低反発ウレタンフォームを用いた枕には、次のような課題があった。
即ち、低反発ウレタンフォームは、上記した性質を備えるために比較的高い密度を有するよう製造されており通気性が悪かった。従って、就寝時に頭部から発せられる熱が内部にこもり、蒸れて不快感を伴い、睡眠を妨げてしまうことがあった。
【０００５】
また、低反発ウレタンフォームには、温度依存性（温度が低いと硬くなり、温度が高いと柔らかくなる性質）があり、内部に熱がこもることによってへたったように沈み込むので、睡眠時における頭部の高さの位置が維持できないという課題もあった。
【０００６】
ところで通気性に優れた枕の充填材としては、従来から例えば、所要の変形性を有するよう形成した小径の長さの短い合成樹脂製のパイプ材がある。パイプ材は、通気性に優れるものが簡単な構成で安価にできるので広く用いられている。
【０００７】
本発明者は、低反発ウレタンフォームを使用した枕について、簡単な構成を用いることによって、通気性が良く、なおかつ頭部の高さの位置も変わりにくいものができないものか研究をしていた。そして、低反発ウレタンフォームを塊状で用いず、これを小さく小片化し、更に小片化したものに上記したパイプ材を入れてこれらを分散させた状態で混合すれば、低反発ウレタンフォームの低反発性をほとんど損なうことなく、通気性も確保でき、なおかつ頭部の高さの位置も変わりにくい枕用の詰め物ができるのではないかとの着想を得た。
本発明は上記着想に基づき完成されたものである。
【０００８】
本発明の目的は、低反発ウレタンフォームの低反発性をほとんど損なうことなく、通気性も確保できるクッション素材を提供することにある。
また、本発明の他の目的は、長時間使用した場合でも頭部の高さの位置が変わりにくくできる枕用詰め物及びそれを備えた枕を提供することにある。
更に、本発明の他の目的は、今までにない新規な触感を有するクッション素材、枕用詰め物及びそれを備えた枕、クッション素材の製造方法を提供することにある。
【課題を解決するための手段】
【０００９】
上記目的を達成するために本発明が講じた手段は次のとおりである。
第１の発明にあっては、
低反発ウレタンフォームの小片と流動性固体が所要の配合割合で混ぜてあり、充填した状態で低反発ウレタンフォームの低反発性を備えつつ、かつ通気性も備えることを特徴とする、
クッション素材である。
【００１０】
第２の発明にあっては、
流動性固体が、変形性及び形状復元性を有するパイプ材であることを特徴とする、
第１の発明に係るクッション素材である。
【００１１】
第３の発明にあっては、
第１または第２の発明に係るクッション素材が袋体内に充填して構成してあることを特徴とする、
枕用詰め物である。
【００１２】
第４の発明にあっては、
第３の発明に係る枕用詰め物と、
当該枕用詰め物を被覆するカバー体と
を備えたことを特徴とする、
枕である。
【００１３】
第５の発明にあっては、
低反発ウレタンフォームの小片と流動性固体を、充填した状態で低反発ウレタンフォームの低反発性を備えつつ、かつ通気性も備えるよう所要の配合割合で混ぜることを特徴とする、
クッション素材の製造方法である。
【００１４】
本発明に係るクッション素材は、枕用詰め物として使用する以外にも、例えば、クッション、座布団、敷布団、マットレス、シート等の内部に詰めるものとして使用することができる。
【００１５】
本明細書でいう「小片」という用語は、小さいかけらという意味で使用しており、具体的には大きさが略５ｍｍ以上〜３０ｍｍ以下のものを示す概念として使用している。低反発ウレタンフォームを上記の大きさに設定することで、流動性固体と程よく混じり合い分散された状態になる。また、小片の形状も特に限定するものではなく、例えば、塊状のものからちぎったような無作為な形状のものを使用することもできるし、立方体、直方体、粒状等のような定まった形状のものを使用することもできる。
【００１６】
本発明者による種々の実験によれば、低反発ウレタンフォームは、流動性固体と混じり合ったときに低反発性をほとんど損なうことなく、通気性も確保でき、なおかつ長時間使用した場合でも頭部の高さの位置が変わりにくいようにするためには、次に示す値に設定することが好ましい。
【００１７】
密度は、３８ｋｇ／ｍ３以上〜８２ｋｇ／ｍ３以下の範囲内のものが好ましく、更には５３ｋｇ／ｍ３以上〜８２ｋｇ／ｍ３以下の範囲内のものが好ましい。
反発弾性は、３％以上〜１２％以下の範囲内のものが好ましく、更には６％以上〜１０％以下の範囲内のものが好ましい。
硬さは、１５Ｎ以上〜２０２Ｎ以下の範囲内のものが好ましく、更には４９Ｎ以上〜１３５Ｎ以下の範囲内のものが好ましい。
【００１８】
引っ張り強さは、２６ｋＰａ以上〜１６２ｋＰａ以下の範囲内のものが好ましく、更には６５ｋＰａ以上〜１２９ｋＰａ以下の範囲内のものが好ましい。
伸びは、１５０％以上〜２２０％以下の範囲内のものが好ましく、更には１８０％以上〜２１５％以下の範囲内のものが好ましい。
【００１９】
また、配合割合は、容積割合で低反発ウレタンフォームが５０容積％以上〜７０容積％以下の範囲内で配合割合が好ましく、更には５０容積％以上〜６０容積％以下の範囲内で設定されることが好ましい。
【００２０】
「流動性固体」としては、例えば、変形性及び形状復元性を有する合成樹脂製のパイプ材の他に、球形状やペレット状に形成した粒体、特定の形状を有さない粒体等を使用することもできる。また、材料も合成樹脂以外に、例えば、小豆、籾殻、蕎麦殻、木材や竹材のチップ等の天然材料を使用することもできる。
【００２１】
上記したパイプ材は、外径が大きくなったり長さが長くなると潰れやすく、また、外径が小さかったり長さが短くなると潰れにくくなり、更にパイプ材の端部の角部が頭部に当たると触感が悪くなるので、次に示す値を有するものが好ましい。直径（外径）は、４ｍｍ以上〜９ｍｍ以下の範囲内のものが好ましく、更には５ｍｍ以上〜８ｍｍ以下の範囲内のものが好ましい。長さについても５ｍｍ以上〜１０ｍｍ以下の範囲内のものが好ましく、更には５ｍｍ以上〜８ｍｍ以下の範囲内のものが好ましい。硬さは、０．５２Ｎ以上〜１．１２Ｎ以下の範囲内のものが好ましく、更には０．６Ｎ以上〜０．８Ｎ以下の範囲内のものが好ましい。
【００２２】
また、パイプ材の材料は特に限定するものではないが、例えば、ポリエチレン、ポリプロピレン、ポリエチレンテレフタレート、ポリ塩化ビニル、ポリエステル、ポリブタジエン、ポリアセテート等の合成樹脂や、合成ゴム、天然ゴム類等が使用できる。
【００２３】
（作  用）
本発明に係るクッション素材、枕用詰め物及びそれを備えた枕は、低反発ウレタンフォームの小片と流動性固体が所要の配合割合で混ぜてあり、充填した状態で低反発ウレタンフォームの低反発性を備えつつ、かつ通気性も備えている。
【発明の効果】
【００２４】
本発明は上記構成を備え、次の効果を有する。
（ａ）本発明に係るクッション素材、枕用詰め物及びそれを備えた枕は、低反発ウレタンフォームの小片と流動性固体が、充填した状態で低反発ウレタンフォームの低反発性がほとんど損なわれず、通気性も良い状態にできる。従って、例えば、枕用詰め物として使用した場合では、就寝時における熱が内部にこもりにくく、快適な睡眠をとることができる。
【００２５】
（ｂ）本発明に係るクッション素材、枕用詰め物及びそれを備えた枕は、通気性を有しており熱がこもりにくいので、低反発ウレタンフォームの硬さも変わりにくい（柔らかくなりにくい）。従って、例えば、枕用詰め物として使用し、更に、流動性固体として硬さが変わらないものを使用した場合では、長時間使用した場合でも頭部の高さの位置が変わりにくい。
【００２６】
（ｃ）本発明に係るクッション素材、枕用詰め物及びそれを備えた枕は、低反発ウレタンフォームだけのものとも、流動性固体だけを充填したものとも違い、今までにない新規な触感を有する。
【発明を実施するための最良の形態】
【００２７】
本発明の実施の形態を図面に基づき更に詳細に説明する。
図１は本発明に係る枕用詰め物の一実施の形態を示す斜視説明図、
図２は図１に示す枕用詰め物の断面図である。
符号Ｍは枕用詰め物を示している。枕用詰め物Ｍは、外側に袋状の枕カバー（図示省略）を覆うよう設けて枕を構成するものである。
【００２８】
枕用詰め物Ｍは平面視略長方形状を有する袋体１を備えている。袋体１の内部には、図２に示すように低反発ウレタンフォームの小片２と、変形性及び形状復元性を有する流動性固体である合成樹脂製のパイプ材３が、袋体１を膨らませて実質的に隙間ができない状態になるよう充填してある。
【００２９】
低反発ウレタンフォームの小片２とパイプ材３は、混合した混合物が袋体１内において低反発ウレタンフォームの低反発性を備えつつ、かつパイプ材３によって通気性をも備える所要の配合割合で充填してある。
【００３０】
袋体１は、小片２とパイプ材３を充填した状態で、これらが外部に出ないよう綴じてある。また、枕用詰め物Ｍの長辺側の一方には、頸部を配置する凹部１０が形成されている。
【００３１】
（作  用）
図１及び図２を参照して本実施の形態で示す枕用詰め物Ｍの作用を説明する。
枕用詰め物Ｍは、小片２にした低反発ウレタンフォームとパイプ材３が、袋体１内において低反発ウレタンフォームの低反発性を備えつつ、かつパイプ材３によって通気性も備えるような所要の配合割合で充填してあるので、低反発ウレタンフォームの低反発性がほとんど損なわれず、通気性も良い状態にできる。従って、就寝時における熱が内部にこもりにくく、快適な睡眠をとることができる。
【００３２】
枕用詰め物Ｍは、上記したように通気性を有しており熱がこもりにくいので、低反発ウレタンフォームの硬さも変わりにくい（柔らかくなりにくい）。また、低反発ウレタンフォームの小片２と共に配合してあるパイプ材３の硬さは変わらない。従って、枕用詰め物Ｍは、例えば長時間使用した場合でも頭部の高さの位置が変わりにくい。
【００３３】
従来からあるパイプ材だけを充填したものの場合では、寝返りをうつ等、姿勢を変えることによってパイプ材にかかる力が変わり、これによりパイプ材が擦れ合って動いてガサガサという耳障りな音を発生させてしまうという課題がある。しかし、枕用詰め物Ｍは小片２にした低反発ウレタンフォームが混ぜてあるので、このようなパイプ３材同士が擦れる音も発生が軽減できる。
【００３４】
枕用詰め物Ｍは、小片２にした低反発ウレタンフォームとパイプ材３を所要の配合割合で混ぜて袋体内に充填するだけで良いので構成が簡単である。また、枕用詰め物Ｍは、低反発ウレタンフォームだけのものとも、パイプ材３だけを充填したものとも違い、今までにない新規な触感を有する。
【００３５】
［実施例］
具体的に実施例を挙げて説明するが、本発明はこれに限定されるものではない。
枕用詰め物Ｍを構成する袋体１の内部には、大きさが略７ｍｍ以上〜３０ｍｍ以下に形成された低反発ウレタンフォームの小片２と、略直径（外径）５ｍｍ、長さ略５ｍｍに設定されたパイプ材３が充填されている。低反発ウレタンフォームは、略６０ｋｇ／ｍ３の密度を有し、略７％の反発弾性を有し、更に、略９０Ｎの硬さを有し、９５ｋＰａの引っ張り強さを有し、９５％の伸びを有するものを使用しており、小片２は塊状のものからちぎって形成されている。
また、パイプ材は硬さが略０．７Ｎのものを使用している。低反発ウレタンフォームとパイプ材３は、容積割合において共に５０容積％の配合割合で混合されている。
【００３６】
なお、本実施の形態で示す枕用詰め物Ｍでは設けていないが、枕用詰め物を構成する袋体内部に仕切を設けて、低反発ウレタンフォームやパイプ材が内部で動きにくくなるようにすることもできる。
【００３７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００３８】
【図１】本発明に係る枕用詰め物の一実施の形態を示す斜視説明図。
【図２】図１に示す枕用詰め物の断面図。
【符号の説明】
【００３９】
Ｍ  枕用詰め物
１  袋体
２  小片
３  パイプ材
【図１】
2006325749.tif 000003
【図２】
2006325749.tif 000004